【手続補正書】
【提出日】平成17年9月13日(2005.9.13)
【手続補正１】
【補正対象書類名】明細書
【補正対象項目名】発明の名称
【補正方法】変更
【補正の内容】
【発明の名称】情報提供装置及びその制御方法、それをコンピュータ装置に実行させるためのプログラム
【手続補正２】
【補正対象書類名】明細書
【補正対象項目名】特許請求の範囲
【補正方法】変更
【補正の内容】
【特許請求の範囲】
【請求項１】  通信端末からのアクセス要求に基づいて通信を開始するとともに、サービス提供のための処理を実行する情報提供装置であって、
通信端末との通信を識別するための識別情報と該通信に対応するサービスの処理状況を表わす情報とを関連づけて記憶する記憶手段と、
通信端末から所定の宛先に通信があった場合に、前記通信に含まれる識別情報に基づいて前記記憶手段に記憶された処理状況を表わす情報を参照して、前記処理状況を表す情報に応じて前記通信端末へ返送する情報を選択的に生成する情報生成手段とを備えることを特徴とする情報提供装置。
【請求項２】  前記通信端末からのアクセス要求に対して、そのアクセス要求を特定するための前記識別情報を生成する手段と、
前記生成された識別情報を利用してアクセス情報を生成して前記通信端末に通知する手段とを更に備えることを特徴とする請求項１記載の情報提供装置。
【請求項３】  前記アクセス情報は、ＵＲＬ及びＵＲＬパラメータを含むことを特徴とする請求項２記載の情報提供装置。
【請求項４】  前記サービスは、ネットワーク上の記憶装置に保管された画像データのプリントサービスであって、前記通信端末へ返送する情報は予め注文受付されたプリント注文情報と注文受付を確認するプリント注文受付情報とを含むことを特徴とする請求項１乃至３のいずれか１つに記載の情報提供装置。
【請求項５】  前記処理状況は決済の未確定か否かの状況を含み、未確定の場合は注文受付を確認するプリント注文受付情報を前記通信端末へ返送し、未確定でなければ予め注文受付されたプリント注文情報を前記通信端末へ返送することを特徴とする請求項４記載の情報提供装置。
【請求項６】  通信端末からのアクセス要求に基づいて通信を開始するとともに、サービス提供のための処理を実行する情報提供装置の制御方法であって、
通信端末との通信を識別するための識別情報と該通信に対応するサービスの処理状況を表わす情報とを関連づけて記憶する記憶ステップと、
通信端末から所定の宛先に通信があった場合に、前記通信に含まれる識別情報に基づいて前記記憶ステップで記憶された処理状況を表わす情報を参照して、前記処理状況を表す情報に応じて前記通信端末へ返送する情報を選択的に生成する情報生成ステップとを備えることを特徴とする制御方法。
【請求項７】  通信端末からのアクセス要求に基づいて通信を開始するステップ、
前記アクセス要求に応答してサービス提供のための処理を実行するステップ、
通信端末との通信を識別するための識別情報と該通信に対応するサービスの処理状況を表わす情報とを関連づけて記憶する記憶ステップと、
通信端末から所定の宛先に通信があった場合に、前記通信に含まれる識別情報に基づいて前記記憶ステップで記憶された処理状況を表わす情報を参照して、前記処理状況を表す情報に応じて前記通信端末へ返送する情報を選択的に生成する情報生成ステップとをコンピュータ装置に実行させるためのプログラム。
【手続補正３】
【補正対象書類名】明細書
【補正対象項目名】０００１
【補正方法】変更
【補正の内容】
【０００１】
【発明の属する技術分野】
本発明は、記憶する画像に対して、情報端末、特に携帯電話から閲覧サービスを受ける情報提供装置及びその制御方法、それをコンピュータ装置に実行させるためのプログラムに関するものである。
【手続補正４】
【補正対象書類名】明細書
【補正対象項目名】０００７
【補正方法】変更
【補正の内容】
【０００７】
本発明は、上記問題点に鑑み、情報提供装置で画面の表示情報を動的に生成することで、通信端末に処理状況に応じた画面表示を提供して、該通信端末を操作するユーザの操作をより簡便にし、例えば注文状況画面のブックマークなどをより容易に設定できるようにするものである。
【手続補正５】
【補正対象書類名】明細書
【補正対象項目名】０００８
【補正方法】変更
【補正の内容】
【０００８】
【課題を解決するための手段】
上記目的を達成するため、本発明の情報提供装置は、通信端末からのアクセス要求に基づいて通信を開始するとともに、サービス提供のための処理を実行する情報提供装置であって、通信端末との通信を識別するための識別情報と該通信に対応するサービスの処理状況を表わす情報とを関連づけて記憶する記憶手段と、通信端末から所定の宛先に通信があった場合に、前記通信に含まれる識別情報に基づいて前記記憶手段に記憶された処理状況を表わす情報を参照して、前記処理状況を表す情報に応じて前記通信端末へ返送する情報を選択的に生成する情報生成手段とを備えることを特徴とする。
【手続補正６】
【補正対象書類名】明細書
【補正対象項目名】０００９
【補正方法】変更
【補正の内容】
【０００９】
ここで、前記通信端末からのアクセス要求に対して、そのアクセス要求を特定するための前記識別情報を生成する手段と、前記生成された識別情報を利用してアクセス情報を生成して前記通信端末に通知する手段とを更に備える。また、前記アクセス情報は、ＵＲＬ及びＵＲＬパラメータを含む。また、前記サービスは、ネットワーク上の記憶装置に保管された画像データのプリントサービスであって、前記通信端末へ返送する情報は予め注文受付されたプリント注文情報と注文受付を確認するプリント注文受付情報とを含む。また、前記処理状況は決済の未確定か否かの状況を含み、未確定の場合は注文受付を確認するプリント注文受付情報を前記通信端末へ返送し、未確定でなければ予め注文受付されたプリント注文情報を前記通信端末へ返送する。
【手続補正７】
【補正対象書類名】明細書
【補正対象項目名】００１０
【補正方法】変更
【補正の内容】
【００１０】
又、本発明の情報提供装置の制御方法は、通信端末からのアクセス要求に基づいて通信を開始するとともに、サービス提供のための処理を実行する情報提供装置の制御方法であって、通信端末との通信を識別するための識別情報と該通信に対応するサービスの処理状況を表わす情報とを関連づけて記憶する記憶ステップと、通信端末から所定の宛先に通信があった場合に、前記通信に含まれる識別情報に基づいて前記記憶ステップで記憶された処理状況を表わす情報を参照して、前記処理状況を表す情報に応じて前記通信端末へ返送する情報を選択的に生成する情報生成ステップとを備えることを特徴とする。
【手続補正８】
【補正対象書類名】明細書
【補正対象項目名】００１１
【補正方法】変更
【補正の内容】
【００１１】
又、本発明のプログラムは、通信端末からのアクセス要求に基づいて通信を開始するステップ、前記アクセス要求に応答してサービス提供のための処理を実行するステップ、通信端末との通信を識別するための識別情報と該通信に対応するサービスの処理状況を表わす情報とを関連づけて記憶する記憶ステップと、通信端末から所定の宛先に通信があった場合に、前記通信に含まれる識別情報に基づいて前記記憶ステップで記憶された処理状況を表わす情報を参照して、前記処理状況を表す情報に応じて前記通信端末へ返送する情報を選択的に生成する情報生成ステップとをコンピュータ装置に実行させる。
【手続補正９】
【補正対象書類名】明細書
【補正対象項目名】００１２
【補正方法】削除
【補正の内容】
【手続補正１０】
【補正対象書類名】明細書
【補正対象項目名】０２５９
【補正方法】変更
【補正の内容】
【０２５９】
【発明の効果】
以上説明したように、本発明によれば、情報提供装置で画面の表示情報を動的に生成することで、通信端末に処理状況に応じた画面表示を提供して、該通信端末を操作するユーザの操作をより簡便にし、例えば注文状況画面のブックマークなどをより容易に設定できる。